(57)【要約】【課題】環状ネットワークを構成するスイッチングハブが切替機能を持たない場合でも、障害の発生した伝送ラインを迂回した通信を行うことが出来る信号伝送装置を提供する。【解決手段】信号伝送装置は、複数のスイッチングハブの間を伝送ラインによって接続した形態の環状ネットワークと、環状ネットワークの通信状態を監視する複数の監視装置と、を含む。スイッチングハブのうち監視装置と接続するスイッチングハブは、自身と接続する伝送ラインにおいて生じる障害を検出して監視装置に障害検出通知を送信し、監視装置からの削除指令に応じて経路情報を削除し、監視装置からの伝送許可指令に応じて伝送ラインでのフレームの伝送を許可する。監視装置は、スイッチングハブのうちの１つと接続し、障害検出通知を受信した場合に他の監視装置に障害発生通知を送信し、障害検出通知若しくは障害発生通知を受信した場合に削除指令及び伝送許可指令を送信する。【選択図】図１
2009071424.tif 000002
【特許請求の範囲】
【請求項１】
端末・ライン間のフレームの中継とライン相互間のフレームの中継を各々がなす複数のスイッチングハブの間を伝送ラインによって接続した形態の環状ネットワークと、前記環状ネットワークの通信状態を監視する複数の監視装置と、を含む信号伝送装置であって、
前記スイッチングハブのうち前記監視装置と接続するスイッチングハブの各々は、フレームの宛先毎に当該フレームを送信する伝送ラインを記録した経路情報テーブルと、受信したフレームの宛先が前記経路情報テーブルに記録されている場合に当該フレームの宛先に対応する伝送ラインへ前記フレームを送信し受信したフレームの宛先が前記経路情報テーブルに記録されていない場合に当該フレームを伝送した伝送ライン以外の伝送ラインへ前記フレームを送信する中継制御手段と、自身と接続する伝送ラインにおいて生じる障害を検出して前記監視装置に障害検出通知を送信する障害検出通知手段と、前記監視装置からの削除指令に応じて前記経路情報テーブルの記録内容を削除する経路情報削除手段と、前記監視装置からの伝送許可指令に応じて自身と接続する伝送ラインの１つでのフレームの伝送を許可する伝送許可手段と、を有し、
前記監視装置の各々は、前記スイッチングハブのうちの１つと接続し、自身と接続するスイッチングハブからの障害検出通知を受信した場合に他の監視装置に障害発生通知を送信する障害発生通知手段と、前記障害検出通知若しくは前記障害発生通知を受信した場合に自身と接続するスイッチングハブに前記削除指令を送信する経路情報削除指令手段と、前記障害検出通知若しくは前記障害発生通知を受信した場合に自身と接続するスイッチングハブに前記伝送許可指令を送信する伝送許可指令手段と、を有することを特徴とする信号伝送装置。
【請求項２】
前記経路情報削除指令手段は、前記障害検出通知若しくは前記障害発生通知を受信した場合に、当該障害の検出された伝送ラインでのフレームの伝送が許可されている場合にのみ、前記削除指令を送信することを特徴とする請求項１記載の信号伝送装置。
【請求項３】
前記伝送許可指令手段は、前記障害検出通知を受信した場合に、前記障害検出通知を送信したスイッチングハブに接続する伝送ラインのうち障害の検出された伝送ライン以外の伝送ラインの１つでのフレームの伝送が禁止されている場合にのみ、当該伝送の禁止されている伝送ラインでのフレームの伝送を許可する伝送許可指令を送信することを特徴とする請求項１記載の信号伝送装置。
【請求項４】
前記伝送許可指令手段は、前記障害発生通知を受信した場合に、当該監視装置と接続するスイッチングハブに接続する伝送ラインの１つでのフレームの伝送が禁止されている場合にのみ、当該伝送の禁止されている伝送ラインでのフレームの伝送を許可する伝送許可指令を送信することを特徴とする請求項１記載の信号伝送装置。
【請求項５】
前記監視装置の各々は、前記障害検出通知を受信した場合に、当該障害の検出された伝送ラインでのフレームの伝送を禁止するように、自身と接続するスイッチングハブに伝送禁止指令を送信する伝送禁止指令手段を有し、
前記監視装置と接続するスイッチングハブの各々は、前記監視装置からの伝送禁止指令に応じて自身と接続する伝送ラインの１つでのフレームの伝送を禁止する伝送禁止手段を有することを特徴とする請求項１記載の信号伝送装置。
【請求項６】
前記監視装置と接続するスイッチングハブの各々は、自身と接続する伝送ラインで生じた障害が復旧したことを検出して前記監視装置に復旧検出通知を送信する復旧検出通知手段を有し、
前記監視装置の各々は、自身と接続するスイッチングハブからの復旧検出通知を受信した場合に、当該障害の復旧した伝送ラインでのフレームの伝送を許可する伝送許可指令を自身と接続するスイッチングハブに送信する復旧時伝送許可指令手段を有することを特徴とする請求項１記載の信号伝送装置。
【請求項７】
前記復旧時伝送許可指令手段は、前記環状ネットワークを構成する伝送ラインのうち前記障害の復旧した伝送ライン以外の伝送ラインでフレームの伝送が禁止されている場合にのみ、前記伝送許可指令を送信することを特徴とする請求項６記載の信号伝送装置。
【請求項８】
前記監視装置の各々は、起動時に自身と接続するスイッチングハブに接続する伝送ラインで障害が発生していない場合で、自身の優先度が他の監視装置よりも低い場合は、前記スイッチングハブに伝送禁止指令を送信する初期設定手段を有することを特徴とする請求項１記載の信号伝送装置。
【請求項９】
前記初期設定手段は、起動時に前記スイッチングハブに接続する伝送ラインで障害が発生している場合は、障害の発生している伝送ラインでのフレームの伝送を禁止するように伝送禁止指令を前記スイッチングハブに送信することを特徴とする請求項８記載の信号伝送装置。
【発明の詳細な説明】
【技術分野】
【０００１】
本発明は、複数のスイッチングハブの間を伝送ラインによって接続した形態の環状ネットワークを含む信号伝送装置に関する。
【背景技術】
【０００２】
複数のスイッチングハブの間を伝送ラインによって接続した形態の環状ネットワークでは、ブロードキャストフレーム等のパケット信号フレーム（以下、単にフレームという）がフレームを中継するスイッチングハブ間で繰り返し中継され、フレームが環状ネットワークを永久に循環する現象が発生する。この現象を防止するために、環状に接続されている伝送ラインの少なくとも１つの伝送ラインでのフレームの伝送を禁止することが行われている。これにより、フレームの伝送経路が環状にならないようにして、フレームがネットワークを永久に循環することを防止している。
【０００３】
このような環状ネットワークを含む公知の信号伝送装置において、環状ネットワークの１つの伝送ラインで障害が発生した場合、フレームの伝送を禁止している伝送ラインでのフレームの伝送の禁止を解除してフレームの伝送が行われるようにしている。このことにより、障害の発生した伝送ラインを迂回した通信を行うことが可能になる。また、環状ネットワークにおいてフレームを中継するスイッチングハブの各々は、障害が発生したことを検出すると、自身が保持する経路情報を削除する。経路情報には、フレームの宛先毎に、そのフレームを中継する伝送ラインが記録されている。経路情報に受信したフレームの宛先が記録されている場合は、そのフレームの宛先に対応する伝送ラインに受信したフレームを送信する。経路情報に受信したフレームの宛先が記録されていない場合は、そのフレームを受信した伝送ライン以外の全ての伝送ラインにフレームを送信する。このように経路情報を削除することにより、障害の発生した伝送ラインを迂回してフレームの中継が行われるような伝送経路に切り替えることが出来る（例えば、特許文献１参照）。
【特許文献１】特開２００４−２０１００９号公報
【発明の開示】
【発明が解決しようとする課題】
【０００４】
上記した如き信号伝送装置においては、環状ネットワークを構成するスイッチングハブの各々が障害の発生を検出して、フレームの伝送経路の切り替えを行っている。それ故、環状ネットワークを構成する全てのスイッチングハブが、環状ネットワークでの障害の発生を検出して、フレームの伝送経路を切り替える切替機能を持っている必要がある。環状ネットワークを構成するスイッチングハブの中に１台でも切替機能を持たないスイッチングハブが存在すると、そのスイッチングハブは、障害発生前と同様に障害の発生した伝送ラインを含む伝送経路でフレームの伝送が行われるようにフレームの中継を行う。それ故、障害の発生した伝送ラインを迂回した通信を行うことが出来ない。
【０００５】
また、環状ネットワークを構成するスイッチングハブの中に切替機能を持たないスイッチングハブが存在する場合でも、そのスイッチングハブに対して監視装置等からフレームの伝送経路を切り替えるように指令を送ることで、フレームの伝送経路を切り替えることを可能としている装置も知られている。この装置では、切替機能を有するスイッチングハブが、環状ネットワークでの障害の発生を検出してフレームの伝送経路を切り替えた際に、監視装置等からフレームの伝送経路を切り替えるように切替機能を持たないスイッチングハブに対して指令を送り、フレームの伝送経路の切り替えを行っている。この場合、環状ネットワークを構成するスイッチングハブの中に切替機能を有するスイッチングハブが１台以上存在すれば、障害の発生した伝送ラインを迂回した通信を行うことが出来る。しかし、環状ネットワークを構成するスイッチングハブの中に切替機能を有するスイッチングハブが存在しない場合は、障害の発生した伝送ラインを迂回した通信を行うことが出来ない。
【０００６】
本発明は上記した点に鑑みてなされたものであり、環状ネットワークを構成するスイッチングハブの全てが切替機能を持たないスイッチングハブである場合でも、障害発生時に障害の発生した伝送ラインを迂回した通信を行うことが出来る信号伝送装置を提供することを目的とする。
【課題を解決するための手段】
【０００７】
本発明による信号伝送装置は、端末・ライン間のフレームの中継とライン相互間のフレームの中継を各々がなす複数のスイッチングハブの間を伝送ラインによって接続した形態の環状ネットワークと、環状ネットワークの通信状態を監視する複数の監視装置と、を含む信号伝送装置であって、スイッチングハブのうち監視装置と接続するスイッチングハブの各々は、フレームの宛先毎に当該フレームを送信する伝送ラインを記録した経路情報テーブルと、受信したフレームの宛先が経路情報テーブルに記録されている場合に当該フレームの宛先に対応する伝送ラインへフレームを送信し受信したフレームの宛先が経路情報テーブルに記録されていない場合に当該フレームを伝送した伝送ライン以外の伝送ラインへフレームを送信する中継制御手段と、自身と接続する伝送ラインにおいて生じる障害を検出して監視装置に障害検出通知を送信する障害検出通知手段と、監視装置からの削除指令に応じて経路情報テーブルの記録内容を削除する経路情報削除手段と、監視装置からの伝送許可指令に応じて自身と接続する伝送ラインの１つでのフレームの伝送を許可する伝送許可手段と、を有し、監視装置の各々は、スイッチングハブのうちの１つと接続し、自身と接続するスイッチングハブからの障害検出通知を受信した場合に他の監視装置に障害発生通知を送信する障害発生通知手段と、障害検出通知若しくは障害発生通知を受信した場合に自身と接続するスイッチングハブに削除指令を送信する経路情報削除指令手段と、障害検出通知若しくは障害発生通知を受信した場合に自身と接続するスイッチングハブに伝送許可指令を送信する伝送許可指令手段と、を有することを特徴とする。
【発明を実施するための最良の形態】
【０００８】
以下、本発明の実施例について図面を参照しつつ詳細に説明する。
【０００９】
図１は、本発明に係る信号伝送装置の実施例を示している。信号伝送装置は、２台の制御対象スイッチングハブ１ａ及び１ｂと、２台の対向スイッチングハブ２ａ及び２ｂとが伝送ライン４１〜４４によって接続された環状ネットワークと、環状ネットワークの通信状態を監視する監視装置３ａ及び３ｂから構成されている。環状ネットワークを構成する伝送ライン４１〜４４のうち伝送ライン４２は、フレームがループするのを防ぐ為、フレームの伝送が禁止されている。監視装置３ａは、伝送ライン５１により制御対象スイッチングハブ１ａと接続している。また、監視装置３ｂは、伝送ライン５２により制御対象スイッチングハブ１ｂと接続している。この信号伝送装置では、２つの仮想ネットワークＶＬＡＮ−Ａ及びＶＬＡＮ−Ｂが構成されている。仮想ネットワークＶＬＡＮ−Ａは、環状ネットワークを流れるユーザーフレームを伝送するために用いられる。仮想ネットワークＶＬＡＮ−Ｂは、監視装置３ａと監視装置３ｂとの間の制御フレームを伝送するために用いられる。
【００１０】
図２に、制御対象スイッチングハブ１ａの構成を示す。制御対象スイッチングハブ１ａは、伝送ラインから受信したフレームを中継するものである。また、制御対象スイッチングハブ１ａは、２つの仮想ネットワークを構成する機能を有する。ポート入出力部１１は、複数の通信ポートを持ち、伝送ラインを介したフレームの送受信を行う。ポート制御部１２は、受信したフレームの中継先を制御する。フレームの中継先の制御は、経路情報テーブル１３に記録されている経路情報に基づいて行われる。経路情報テーブル１３の例を図３に示す。経路情報テーブル１３には、仮想ネットワーク毎に、フレームの宛先のアドレスとそのアドレスに対応する伝送ラインが記録されている。経路情報テーブル１３に受信したフレームの宛先が記録されている場合は、そのフレームの宛先に対応する伝送ラインに受信したフレームを送信する。経路情報テーブル１３に受信したフレームの宛先が記録されていない場合は、そのフレームを受信した伝送ライン以外の全ての伝送ラインにフレームを送信する。尚、経路情報テーブル１３には、受信したフレームの送信元を表すアドレスと、そのフレームを受信した伝送ラインが、フレームの宛先と、その宛先に対応する伝送ラインとして記録される。経路情報削除回路１４は、監視装置３ａからの削除指令に応じて、経路情報テーブル１３の記録内容を削除する。伝送制御回路１５は、監視装置３ａからの伝送許可指令に応じて、制御対象スイッチングハブ１ａと接続する伝送ラインの１つでのフレームの伝送を許可する。また、伝送制御回路１５は、監視装置３ａからの伝送禁止指令に応じて、制御対象スイッチングハブ１ａと接続する伝送ラインの１つでのフレームの伝送を禁止する。尚、伝送制御回路１５が伝送許可手段及び伝送禁止手段としての機能を有する。状態監視回路１６は、制御対象スイッチングハブ１ａと接続する伝送ライン４１及び４４での障害の発生及び復旧を検出する。状態監視回路１６は、障害の発生を検出した場合、障害検出通知を監視装置３ａに送信する。また、障害の復旧を検出した場合は、復旧検出通知を監視装置３ａに送信する。伝送ラインでの障害の発生の検出は、伝送ラインを介して接続するスイッチングハブとの間で信号の送受信を行い、相手のスイッチングハブからの信号が受信できるか否かにより行う。相手のスイッチングハブからの信号が受信できない場合に、障害の発生を検出する。また、障害の発生を検出した後で、再び、相手のスイッチングハブからの信号の受信が出来るようになった場合に、障害の復旧を検出する。尚、図示しないが他の制御対象スイッチングハブ１ｂも制御対象スイッチングハブ１ａと同様の構成である。
【００１１】
図４に、対向スイッチングハブ２ａの構成を示す。対向スイッチングハブ２ａは、伝送ラインから受信したフレームを中継するものである。ポート入出力部２１は、複数の通信ポートを持ち、伝送ラインを介したフレームの送受信を行う。ポート制御部２２は、受信したフレームの中継先を制御する。フレームの中継先の制御は、経路情報テーブル２３に記録されている経路情報に基づいて行われる。経路情報テーブル２３には、フレームの宛先毎に、そのフレームを送信する伝送ラインが記録されている。経路情報テーブル２３に受信したフレームの宛先が記録されている場合は、そのフレームの宛先に対応する伝送ラインに受信したフレームを送信する。経路情報テーブル２３に受信したフレームの宛先が記録されていない場合は、そのフレームを受信した伝送ライン以外の全ての伝送ラインにフレームを送信する。尚、経路情報テーブル２３には、受信したフレームの送信元を表すアドレスと、そのフレームを受信した伝送ラインが、フレームの宛先と、その宛先に対応する伝送ラインとして記録される。尚、図示しないが他の対向スイッチングハブ２ｂも対向スイッチングハブ２ａと同様の構成である。
【００１２】
図５に、監視装置３ａの構成を示す。監視装置３ａは、環状ネットワークの通信状態に応じて、制御対象スイッチングハブ１ａに対する制御を行うものである。通信インターフェース３１は、伝送ライン５１を介したフレームの送受信を行う。状態通知回路３２は、環状ネットワークで障害が発生したことを表す障害発生通知及び発生した障害が復旧したことを表す障害復旧通知を監視装置３ｂに向けて送信する。経路情報削除指令回路３３は、制御対象スイッチングハブ１ａに対して経路情報の削除を指令する削除指令を送信する。伝送制御指令回路３４は、制御対象スイッチングハブ１ａに対して伝送ラインの１つでのフレームの伝送を許可する伝送許可指令及び伝送ラインの１つでのフレームの伝送を禁止する伝送禁止指令を送信する。コントローラ３５は、監視装置３ａの制御を行う。尚、伝送制御指令回路３４が伝送許可指令手段、伝送禁止指令手段及び復旧時伝送許可指令手段としての機能を有する。
【００１３】
監視装置３ａは、自身の内部状態を表す内部状態情報を図示しない記憶部に記憶している。図６に、監視装置３ａの内部状態情報と状態の関係を示す。内部状態情報「Init」は、監視装置３ａで後述する起動処理ルーチンの実行中であり、制御対象スイッチングハブ１ａと対向スイッチングハブ２ａとの間の伝送ライン４４で障害が発生していない状態であることを表している。内部状態情報「Init_Failure」は、監視装置３ａで後述する起動処理ルーチンの実行中であり、制御対象スイッチングハブ１ａと対向スイッチングハブ２ａとの間の伝送ライン４４で障害が発生している状態であることを表している。内部状態情報「Act」は、環状ネットワークで障害が発生していない状態で制御対象スイッチングハブ１ａと対向スイッチングハブ２ａとの間の伝送ライン４４でフレームの伝送が許可されている状態であることを表している。内部状態情報「Standby」は、環状ネットワークで障害が発生していない状態で制御対象スイッチングハブ１ａと対向スイッチングハブ２ａとの間の伝送ライン４４でフレームの伝送が禁止されている状態であることを表している。内部状態情報「Peer_Failure」は、制御対象スイッチングハブ１ｂと対向スイッチングハブ２ｂとの間の伝送ライン４２で障害が発生しており、制御対象スイッチングハブ１ａと対向スイッチングハブ２ａとの間の伝送ライン４４でフレームの伝送が許可されている状態であることを表している。内部状態情報「Failure」は、制御対象スイッチングハブ１ａと対向スイッチングハブ２ａとの間の伝送ライン４４で障害が発生しており、制御対象スイッチングハブ１ｂと対向スイッチングハブ２ｂとの間の伝送ライン４２でフレームの伝送が許可されている状態であることを表している。内部状態情報「Double_Failure」は、制御対象スイッチングハブ１ａと対向スイッチングハブ２ａとの間の伝送ライン４４及び制御対象スイッチングハブ１ｂと対向スイッチングハブ２ｂとの間の伝送ライン４２で障害が発生している状態であることを表している。内部状態情報「Single」は、制御対象スイッチングハブ１ｂの障害又は制御対象スイッチングハブ１ａと制御対象スイッチングハブ１ｂとの間の伝送ライン４１の障害が発生しており、制御対象スイッチングハブ１ａと対向スイッチングハブ２ａとの間の伝送ライン４４でフレームの伝送が許可されている状態であることを表している。内部状態情報「Single_Failure」は、制御対象スイッチングハブ１ｂの障害又は制御対象スイッチングハブ１ａと制御対象スイッチングハブ１ｂとの間の伝送ライン４１の障害が発生しており、制御対象スイッチングハブ１ａと対向スイッチングハブ２ａとの間の伝送ライン４４で障害が発生している状態であることを表している。
【００１４】
また、監視装置３ａは、自身の優先度を表す情報を図示しない記憶部に記憶している。優先度を表す情報は、「High」と「Low」の２種類ある。「High」は、優先度が高いことを表している。「Low」は、優先度が低いことを表している。監視装置３ｂの優先度が「High」である場合、監視装置３ａの優先度は「Low」となる。一方、監視装置３ｂの優先度が「Low」である場合、監視装置３ａの優先度は「High」となる。
【００１５】
尚、図示しないが他の監視装置３ｂも監視装置３ａと同様の構成である。
【００１６】
図７に、監視装置３ａのコントローラ３５で実行される起動処理ルーチンの動作を示す。起動処理ルーチンは、監視装置３ａが起動されるときに実行される。
【００１７】
コントローラ３５は、制御対象スイッチングハブ１ａと対向スイッチングハブ２ａとの間の伝送ライン４４で障害が発生しているかどうかの判定を行う（ステップＳ７０１）。障害が発生しているかどうかの判定は、例えば、制御対象スイッチングハブ１ａに問い合わせること等により行う。そして、コントローラ３５は、Ｓ７０１の判定結果を確認する（ステップＳ７０２）。障害が発生していない場合、コントローラ３５は、制御対象スイッチングハブ１ａの内部状態情報を「Init」に設定する（ステップＳ７０３）。一方、障害が発生している場合、コントローラ３５は、監視装置３ａの内部状態情報を「Init_Failure」に設定する（ステップＳ７０８）。
【００１８】
内部状態情報を設定した後、コントローラ３５は、監視装置３ｂとの間の制御コネクションを確立する処理を行う（ステップＳ７０４）。そして、制御対象スイッチングハブ１ａと対向スイッチングハブ２ａとの間の伝送ライン４４でのフレームの伝送を禁止する伝送禁止指令を送信するように伝送制御指令回路３４に指令を出す（ステップＳ７０５）。伝送制御指令回路３４は、コントローラ３５からの指令を受けると、伝送ライン４４でのフレームの伝送を禁止する伝送禁止指令を、制御対象スイッチングハブ１ａに向けて送信する。伝送禁止指令が送信された後、コントローラ３５は、Ｓ７０４の処理で行った制御コネクションの確立に成功したかどうかを確認する（ステップＳ７０６）。制御コネクションの確立に失敗した場合、コントローラ３５は、後述するコネクション失敗時状態設定ルーチンを実行する（ステップＳ７０７）。一方、制御コネクションの確立に成功した場合、コントローラ３５は、後述するコネクション確立時状態設定ルーチンを実行する（ステップＳ７０９）。
【００１９】
図８に、監視装置３ａのコントローラ３５で実行されるコネクション失敗時状態設定ルーチンの動作を示す。
【００２０】
コントローラ３５は、監視装置３ａの内部状態情報を確認する（ステップＳ８０１）。内部状態情報が「Init」の場合、コントローラ３５は、制御対象スイッチングハブ１ａと対向スイッチングハブ２ａとの間の伝送ライン４４でのフレームの伝送を許可する伝送許可指令を送信するように伝送制御指令回路３４に指令を出す（ステップＳ８０２）。伝送制御指令回路３４は、コントローラ３５からの指令を受けると、伝送ライン４４でのフレームの伝送を許可する伝送許可指令を、制御対象スイッチングハブ１ａに向けて送信する。伝送許可指令が送信された後、コントローラ３５は、監視装置３ａの内部状態情報を「Single」に設定する（ステップＳ８０３）。一方、Ｓ８０１の処理で監視装置３ａの内部状態情報が「Init_Failure」であることが確認された場合、コントローラ３５は、監視装置３ａの内部状態情報を「Single_Failure」に設定する（ステップＳ８０４）。
【００２１】
図９に、監視装置３ａのコントローラ３５で実行されるコネクション確立時状態設定ルーチンの動作を示す。
【００２２】
コントローラ３５は、別の監視装置３ｂとの間で内部状態情報の交換を行う（ステップＳ９０１）。内部状態情報を交換した後で、コントローラ３５は、監視装置３ａの内部状態情報を確認する（ステップＳ９０２）。内部状態情報が「Init」の場合、コントローラ３５は、別の監視装置３ｂの内部状態情報を確認する（ステップＳ９０３）。監視装置３ｂの内部状態情報が「Init_Failure」又は「Single_Failure」である場合、コントローラ３５は、監視装置３ａの内部状態情報を「Peer_Failure」に設定する（ステップＳ９０４）。そして、コントローラ３５は、制御対象スイッチングハブ１ａと対向スイッチングハブ２ａとの間の伝送ライン４４でのフレームの伝送を許可する伝送許可指令を送信するように伝送制御指令回路３４に指令を出す（ステップＳ９０５）。伝送制御指令回路３４は、コントローラ３５からの指令を受けると、伝送ライン４４でのフレームの伝送を許可する伝送許可指令を、制御対象スイッチングハブ１ａに向けて送信する。
【００２３】
一方、Ｓ９０３の処理で監視装置３ｂの内部状態情報が「Init」であることが確認された場合、コントローラ３５は、監視装置３ａの優先度を確認する（ステップＳ９０６）。監視装置３ａの優先度が「High」である場合、コントローラ３５は、監視装置３ａの内部状態情報を「Act」に設定する（ステップＳ９０７）。そして、コントローラ３５は、制御対象スイッチングハブ１ａと対向スイッチングハブ２ａとの間の伝送ライン４４でのフレームの伝送を許可する伝送許可指令を送信するように伝送制御指令回路３４に指令を出す（ステップＳ９０５）。伝送制御指令回路３４は、コントローラ３５からの指令を受けると、伝送ライン４４でのフレームの伝送を許可する伝送許可指令を、制御対象スイッチングハブ１ａに向けて送信する。
【００２４】
Ｓ９０３の処理で監視装置３ｂの内部状態情報が「Single」であることが確認された場合、又は、Ｓ９０６の処理で監視装置３ａの優先度が「Low」であることが確認された場合、コントローラ３５は、監視装置３ａの内部状態情報を「Standby」に設定する（ステップＳ９０８）。
【００２５】
Ｓ９０２の処理で監視装置３ａの内部状態情報が「Init_Failure」であることが確認された場合、コントローラ３５は、別の監視装置３ｂの内部状態情報を確認する（ステップＳ９０９）。監視装置３ｂの内部状態情報が「Init_Failure」又は「Single_Failure」である場合、コントローラ３５は、監視装置３ａの内部状態情報を「Double_Failure」に設定する（ステップＳ９１０）。一方、監視装置３ｂの内部状態情報が「Init」又は「Single」である場合、コントローラ３５は、監視装置３ａの内部状態情報を「Failure」に設定する（ステップＳ９１１）。
【００２６】
図１０に、環状ネットワークに障害が発生していない状態で、監視装置３ａ及び監視装置３ｂで起動処理ルーチンが実行された場合の信号伝送装置の状態を示す。尚、監視装置３ａの優先度は「High」に、監視装置３ｂの優先度は「Low」に設定されているとする。この場合、優先度の高い監視装置３ａと接続する制御対象スイッチングハブ１ａと対向スイッチングハブ２ａとの間の伝送ライン４４でのフレームの伝送は許可されている。一方、優先度の低い監視装置３ｂと接続する制御対象スイッチングハブ１ｂと対向スイッチングハブ２ｂとの間の伝送ライン４２でのフレームの伝送は禁止されている。監視装置３ａの内部状態情報は、「Act」に設定される。監視装置３ｂの内部状態情報は、「Standby」に設定される。
【００２７】
図１１に、制御対象スイッチングハブ１ａと対向スイッチングハブ２ａとの間の伝送ライン４４で障害が発生している状態で、監視装置３ａ及び監視装置３ｂで起動処理ルーチンが実行された場合の信号伝送装置の状態を示す。尚、監視装置３ａの優先度は「High」に、監視装置３ｂの優先度は「Low」に設定されているとする。この場合、障害の発生している伝送ライン４４でのフレームの伝送は禁止されている。一方、制御対象スイッチングハブ１ｂと対向スイッチングハブ２ｂとの間の伝送ライン４２でのフレームの伝送は許可されている。監視装置３ａの内部状態情報は、「Failure」に設定される。監視装置３ｂの内部状態情報は、「Peer_Failure」に設定される。
【００２８】
図１２に、監視装置３ａのコントローラ３５で実行される障害検出通知受信ルーチンの動作を示す。障害検出通知受信ルーチンは、制御対象スイッチングハブ１ａから伝送ライン４４で障害が発生したことを表す障害検出通知を受信すると実行される。
【００２９】
コントローラ３５は、監視装置３ａの内部状態情報を確認する（ステップＳ１２０１）。内部状態情報が「Single」以外の場合、コントローラ３５は、伝送ライン４４で障害が発生したことを表す障害発生通知を、別の監視装置３ｂに向けて送信するように状態通知回路３２に指令を出す（ステップＳ１２０２）。状態通知回路３２は、コントローラ３５からの指令を受けると、伝送ライン４４で障害が発生したことを表す障害発生通知を、監視装置３ｂに向けて送信する。
【００３０】
障害発生通知が送信された後で、コントローラ３５は、監視装置３ａの内部状態情報を確認する（ステップＳ１２０３）。内部状態情報が「Standby」の場合、コントローラ３５は、内部状態情報を「Failure」に設定する（ステップＳ１２０４）。内部状態情報を設定した後で、コントローラ３５は、障害の発生した伝送ライン４４でのフレームの伝送を禁止する伝送禁止指令を送信するように伝送制御指令回路３４に指令を出す（ステップＳ１２０５）。伝送制御指令回路３４は、コントローラ３５からの指令を受けると、伝送ライン４４でのフレームの伝送を禁止する伝送禁止指令を、制御対象スイッチングハブ１ａに向けて送信する。
【００３１】
Ｓ１２０１の処理で監視装置３ａの内部状態情報が「Single」であることが確認された場合、又は、Ｓ１２０３の処理で監視装置３ａの内部状態情報が「Standby」以外であることが確認された場合、コントローラ３５は、転送経路が伝送ライン４４である対向スイッチングハブ２ａ向け経路情報を削除する削除指令を送信するように経路情報削除指令回路３３に指令を出す（ステップＳ１２０６）。経路情報削除指令回路３３は、コントローラ３５からの指令を受けると、転送経路が伝送ライン４４である対向スイッチングハブ２ａ向け経路情報を削除する削除指令を制御対象スイッチングハブ１ａに向けて送信する。
【００３２】
削除指令が送信された後で、コントローラ３５は、監視装置３ａの内部状態情報を確認する（ステップＳ１２０７）。内部状態情報が「Act」の場合、コントローラ３５は、内部状態情報を「Failure」に設定する（ステップＳ１２０４）。内部状態情報を設定した後で、コントローラ３５は、障害の発生した伝送ライン４４でのフレームの伝送を禁止する伝送禁止指令を送信するように伝送制御指令回路３４に指令を出す（ステップＳ１２０５）。伝送制御指令回路３４は、コントローラ３５からの指令を受けると、伝送ライン４４でのフレームの伝送を禁止する伝送禁止指令を、制御対象スイッチングハブ１ａに向けて送信する。
【００３３】
Ｓ１２０７の処理で監視装置３ａの内部状態情報が「Single」であることが確認された場合、コントローラ３５は、内部状態情報を「Single_Failure」に設定する（ステップＳ１２０８）。内部状態情報を設定した後で、コントローラ３５は、障害の発生した伝送ライン４４でのフレームの伝送を禁止する伝送禁止指令を送信するように伝送制御指令回路３４に指令を出す（ステップＳ１２０５）。伝送制御指令回路３４は、コントローラ３５からの指令を受けると、伝送ライン４４でのフレームの伝送を禁止する伝送禁止指令を、制御対象スイッチングハブ１ａに向けて送信する。
【００３４】
Ｓ１２０７の処理で監視装置３ａの内部状態情報が「Peer_Failure」であることが確認された場合、コントローラ３５は、内部状態情報を「Double_Failure」に設定する（ステップＳ１２０９）。内部状態情報を設定した後で、コントローラ３５は、障害の発生した伝送ライン４４でのフレームの伝送を禁止する伝送禁止指令を送信するように伝送制御指令回路３４に指令を出す（ステップＳ１２０５）。伝送制御指令回路３４は、コントローラ３５からの指令を受けると、伝送ライン４４でのフレームの伝送を禁止する伝送禁止指令を、制御対象スイッチングハブ１ａに向けて送信する。
【００３５】
図１３に、監視装置３ａのコントローラ３５で実行される障害発生通知受信ルーチンの動作を示す。障害発生通知受信ルーチンは、監視装置３ｂからの障害発生通知を受信すると実行される。
【００３６】
コントローラ３５は、監視装置３ａの内部状態情報を確認する（ステップＳ１３０１）。監視装置３ａの内部状態情報が「Act」の場合、コントローラ３５は、監視装置３ａの内部状態情報を「Peer_Failure」に設定する（ステップＳ１３０２）。
【００３７】
監視装置３ａの内部状態情報が「Standby」の場合、コントローラ３５は、転送経路が伝送ライン４１である相手側制御対象スイッチングハブ１ｂ向け経路情報を削除する削除指令を送信するように経路情報削除指令回路３３に指令を出す（ステップＳ１３０３）。経路情報削除指令回路３３は、コントローラ３５からの指令を受けると、転送経路が伝送ライン４１である相手側制御対象スイッチングハブ１ｂ向け経路情報を削除する削除指令を制御対象スイッチングハブ１ａに向けて送信する。削除指令が送信された後で、コントローラ３５は、フレームの伝送の禁止されている伝送ライン４４でのフレームの伝送を許可する伝送許可指令を送信するように伝送制御指令回路３４に指令を出す（ステップＳ１３０４）。伝送制御指令回路３４は、コントローラ３５からの指令を受けると、伝送ライン４４でのフレームの伝送を許可する伝送許可指令を、制御対象スイッチングハブ１ａに向けて送信する。伝送許可指令が送信された後で、コントローラ３５は、監視装置３ａの内部状態情報を「Peer_Failure」に設定する（ステップＳ１３０２）。
【００３８】
一方、監視装置３ａの内部状態情報が「Failure」の場合、コントローラ３５は、監視装置３ａの内部状態情報を「Double_Failure」に設定する（ステップＳ１３０５）。
【００３９】
ここで、信号伝送装置の状態が図１０に示すように、環状ネットワークで障害が発生しておらず、伝送ライン４２でのフレームの伝送が禁止されている状態であったとする。この状態で、伝送ライン４４に障害が発生すると、信号伝送装置は、図１１に示す状態になる。障害の発生した伝送ライン４４でのフレームの伝送は禁止される。そして、フレームの伝送が禁止されていた伝送ライン４２でのフレームの伝送が許可される。監視装置３ａの内部状態情報は、「Act」から「Failure」に変わる。監視装置３ｂの内部状態情報は、「Standby」から「Peer_Failure」に変わる。このとき、宛先が対向スイッチングハブ２ａ及び２ｂを経由して到達する宛先に対しても、経路情報が削除されるので、障害の発生した伝送ライン４４を迂回した経路でフレームの伝送を行うことが出来る。
【００４０】
図１４に、監視装置３ａのコントローラ３５で実行される復旧検出通知受信ルーチンの動作を示す。復旧検出通知受信ルーチンは、制御対象スイッチングハブ１ａから伝送ライン４４で発生した障害が復旧したことを表す復旧検出通知を受信すると実行される。
【００４１】
コントローラ３５は、監視装置３ａの内部状態情報を確認する（ステップＳ１４０１）。内部状態情報が「Failure」又は「Double_Failure」の場合、コントローラ３５は、伝送ライン４４で発生した障害が復旧したことを表す障害復旧通知を、別の監視装置３ｂに向けて送信するように状態通知回路３２に指令を出す（ステップＳ１４０２）。状態通知回路３２は、コントローラ３５からの指令を受けると、伝送ライン４４で発生した障害が復旧したことを表す障害復旧通知を、監視装置３ｂに向けて送信する。
【００４２】
障害復旧通知が送信された後で、コントローラ３５は、監視装置３ａの内部状態情報を確認する（ステップＳ１４０３）。内部状態情報が「Failure」の場合、コントローラ３５は、内部状態情報を「Standby」に設定する（ステップＳ１４０４）。
【００４３】
Ｓ１４０１の処理で監視装置３ａの内部状態情報が「Single_Failure」であることが確認された場合、又は、Ｓ１４０３の処理で監視装置３ａの内部状態情報が「Double_Failure」であることが確認された場合、コントローラ３５は、障害の復旧した伝送ライン４４でのフレームの伝送を許可する伝送許可指令を送信するように伝送制御指令回路３４に指令を出す（ステップＳ１４０５）。伝送制御指令回路３４は、コントローラ３５からの指令を受けると、伝送ライン４４でのフレームの伝送を許可する伝送許可指令を、制御対象スイッチングハブ１ａに向けて送信する。
【００４４】
伝送許可指令が送信された後で、コントローラ３５は、監視装置３ａの内部状態情報を確認する（ステップＳ１４０６）。内部状態情報が「Single_Failure」の場合、コントローラ３５は、内部状態情報を「Single」に設定する（ステップＳ１４０７）。内部状態情報が「Double_Failure」の場合、コントローラ３５は、内部状態情報を「Peer_Failure」に設定する（ステップＳ１４０８）。
【００４５】
図１５に、監視装置３ａのコントローラ３５で実行される障害復旧通知受信ルーチンの動作を示す。障害復旧通知受信ルーチンは、監視装置３ｂからの障害復旧通知を受信すると実行される。
【００４６】
コントローラ３５は、監視装置３ａの内部状態情報を確認する（ステップＳ１５０１）。内部状態情報が「Peer_Failure」の場合、コントローラ３５は、内部状態情報を「Act」に設定する（ステップＳ１５０２）。内部状態情報が「Double_Failure」の場合、コントローラ３５は、内部状態情報を「Failure」に設定する（ステップＳ１５０３）。
【００４７】
ここで、信号伝送装置の状態が図１１に示すように、伝送ライン４４で障害が発生しており、伝送ライン４４でのフレームの伝送が禁止されている状態であったとする。この状態で、伝送ライン４４の障害が復旧すると、信号伝送装置は、図１６に示す状態になる。監視装置３ａの内部状態情報は、「Failure」から「Standby」に変わる。監視装置３ｂの内部状態情報は、「Peer_Failure」から「Act」に変わる。
【００４８】
図１７に、監視装置３ａのコントローラ３５で実行される監視装置間障害発生ルーチンの動作を示す。監視装置間障害発生ルーチンは、制御対象スイッチングハブ１ａから伝送ライン４１で障害が発生したことを表す障害検出通知を受信した場合、又は、監視装置３ｂとの間の制御コネクションでの障害を検出した場合に実行される。
【００４９】
コントローラ３５は、伝送ライン４１でユーザーフレームを伝送する仮想ネットワークＶＬＡＮ−Ａのフレームの伝送を禁止する伝送禁止指令を送信するように伝送制御指令回路３４に指令を出す（ステップＳ１７０１）。伝送制御指令回路３４は、コントローラ３５からの指令を受けると、伝送ライン４１でユーザーフレームを伝送する仮想ネットワークＶＬＡＮ−Ａのフレームの伝送を禁止する伝送禁止指令を、制御対象スイッチングハブ１ａに向けて送信する。伝送禁止指令が送信された後、コントローラ３５は、転送経路が伝送ライン４１である制御対象スイッチングハブ１ｂ向け経路情報をすべて削除する削除指令を送信するように経路情報削除指令回路３３に指令を出す（ステップＳ１７０２）。経路情報削除指令回路３３は、コントローラ３５からの指令を受けると、転送経路が伝送ライン４１である制御対象スイッチングハブ１ｂ向け経路情報をすべて削除する削除指令を制御対象スイッチングハブ１ａに向けて送信する。
【００５０】
削除指令が送信された後、コントローラ３５は、監視装置３ａの内部状態情報を確認する（ステップＳ１７０３）。内部状態情報が「Standby」の場合、コントローラ３５は、制御対象スイッチングハブ１ａと対向スイッチングハブ２ａとの間の伝送ライン４４でのフレームの伝送を許可する伝送許可指令を送信するように伝送制御指令回路３４に指令を出す（ステップＳ１７０６）。伝送制御指令回路３４は、コントローラ３５からの指令を受けると、伝送ライン４４でのフレームの伝送を許可する伝送許可指令を、制御対象スイッチングハブ１ａに向けて送信する。
【００５１】
伝送許可指令が送信された後、又は、Ｓ１７０３の処理で内部状態情報が「Standby」以外であることが確認された場合、コントローラ３５は、監視装置３ａの内部状態情報を確認する（ステップＳ１７０４）。内部状態情報が「Failure」の場合、コントローラ３５は、監視装置３ａの内部状態情報を「Single_Failure」に設定する（ステップＳ１７０７）。内部状態情報が「Failure」以外の場合、コントローラ３５は、監視装置３ａの内部状態情報を「Single」に設定する（ステップＳ１７０５）。
【００５２】
ここで、信号伝送装置の状態が図１０に示すように、環状ネットワークで障害が発生しておらず、伝送ライン４２でのフレームの伝送が禁止されている状態であったとする。この状態で、伝送ライン４１に障害が発生すると、信号伝送装置は、図１８に示す状態になる。伝送ライン４１でユーザーフレームを伝送する仮想ネットワークＶＬＡＮ−Ａのフレームの伝送は禁止される。そして、フレームの伝送が禁止されていた伝送ライン４２でのフレームの伝送が許可される。監視装置３ａの内部状態情報は、「Act」から「Single」に変わる。監視装置３ｂの内部状態情報は、「Standby」から「Single」に変わる。このとき、制御対象スイッチングハブ１ａ及び１ｂに向けた経路情報が削除されるので、障害の発生した伝送ライン４１を迂回した経路でフレームの伝送を行うことが出来る。
【００５３】
図１９に、監視装置３ａのコントローラ３５で実行される監視装置間障害復旧ルーチンの動作を示す。監視装置間障害復旧ルーチンは、制御対象スイッチングハブ１ａから伝送ライン４１で発生した障害が復旧したことを表す復旧検出通知を受信した場合、又は、監視装置３ｂとの間の制御コネクションで発生した障害の復旧を検出した場合、又は、監視装置３ｂが起動したことを検出した場合に実行される。
【００５４】
コントローラ３５は、監視装置３ｂとの間の制御コネクションを確立する処理を行う（ステップＳ１９０１）。制御コネクションが確立した後、コントローラ３５は、別の監視装置３ｂとの間で内部状態情報の交換を行う（ステップＳ１９０２）。内部状態情報を交換した後で、コントローラ３５は、監視装置３ａの内部状態情報を確認する（ステップＳ１９０３）。内部状態情報が「Single」の場合、コントローラ３５は、別の監視装置３ｂの内部状態情報を確認する（ステップＳ１９０４）。監視装置３ｂの内部状態情報が「Single」である場合、コントローラ３５は、監視装置３ａの優先度を確認する（ステップＳ１９０５）。監視装置３ａの優先度が「Low」である場合、コントローラ３５は、制御対象スイッチングハブ１ａと対向スイッチングハブ２ａとの間の伝送ライン４４でのフレームの伝送を禁止する伝送禁止指令を送信するように伝送制御指令回路３４に指令を出す（ステップＳ１９０６）。伝送制御指令回路３４は、コントローラ３５からの指令を受けると、伝送ライン４４でのフレームの伝送を禁止する伝送禁止指令を、制御対象スイッチングハブ１ａに向けて送信する。伝送禁止指令が送信された後、コントローラ３５は、転送経路が伝送ライン４４となる対向スイッチングハブ２ａ向け経路情報をすべて削除する削除指令を送信するように経路情報削除指令回路３３に指令を出す（ステップＳ１９０７）。経路情報削除指令回路３３は、コントローラ３５からの指令を受けると、転送経路が伝送ライン４４となる対向スイッチングハブ２ａ向け経路情報をすべて削除する削除指令を制御対象スイッチングハブ１ａに向けて送信する。削除指令を送信した後、コントローラ３５は、監視装置３ａの内部状態情報を「Standby」に設定する（ステップＳ１９０８）。
【００５５】
そして、コントローラ３５は、伝送ライン４１でユーザーフレームを伝送する仮想ネットワークＶＬＡＮ−Ａのフレームの伝送を許可する伝送許可指令を送信するように伝送制御指令回路３４に指令を出す（ステップＳ１９１４）。伝送制御指令回路３４は、コントローラ３５からの指令を受けると、伝送ライン４１でユーザーフレームを伝送する仮想ネットワークＶＬＡＮ−Ａのフレームの伝送を許可する伝送許可指令を、制御対象スイッチングハブ１ａに向けて送信する。
【００５６】
Ｓ１９０４の処理で監視装置３ｂの内部状態情報が「Init」であることが確認された場合、又は、Ｓ１９０５の処理で監視装置３ａの優先度が「High」であることが確認された場合、コントローラ３５は、監視装置３ａの内部状態情報を「Act」に設定する（ステップＳ１９０９）。そして、コントローラ３５は、伝送ライン４１でユーザーフレームを伝送する仮想ネットワークＶＬＡＮ−Ａのフレームの伝送を許可する伝送許可指令を送信するように伝送制御指令回路３４に指令を出す（ステップＳ１９１４）。伝送制御指令回路３４は、コントローラ３５からの指令を受けると、伝送ライン４１でユーザーフレームを伝送する仮想ネットワークＶＬＡＮ−Ａのフレームの伝送を許可する伝送許可指令を、制御対象スイッチングハブ１ａに向けて送信する。
【００５７】
Ｓ１９０４の処理で監視装置３ｂの内部状態情報が「Init_Failure」又は「Single_Failure」である場合、コントローラ３５は、監視装置３ａの内部状態情報を「Peer_Failure」に設定する（ステップＳ１９１０）。そして、コントローラ３５は、伝送ライン４１でユーザーフレームを伝送する仮想ネットワークＶＬＡＮ−Ａのフレームの伝送を許可する伝送許可指令を送信するように伝送制御指令回路３４に指令を出す（ステップＳ１９１４）。伝送制御指令回路３４は、コントローラ３５からの指令を受けると、伝送ライン４１でユーザーフレームを伝送する仮想ネットワークＶＬＡＮ−Ａのフレームの伝送を許可する伝送許可指令を、制御対象スイッチングハブ１ａに向けて送信する。
【００５８】
一方、Ｓ１９０３の処理で監視装置３ａの内部状態情報が「Single_Failure」であることが確認された場合、コントローラ３５は、別の監視装置３ｂの内部状態情報を確認する（ステップＳ１９１１）。監視装置３ｂの内部状態情報が「Init_Failure」又は「Single_Failure」である場合、コントローラ３５は、監視装置３ａの内部状態情報を「Double_Failure」に設定する（ステップＳ１９１２）。一方、監視装置３ｂの内部状態情報が「Init」又は「Single」である場合、コントローラ３５は、監視装置３ａの内部状態情報を「Failure」に設定する（ステップＳ１９１３）。内部状態情報を設定した後で、コントローラ３５は、伝送ライン４１でユーザーフレームを伝送する仮想ネットワークＶＬＡＮ−Ａのフレームの伝送を許可する伝送許可指令を送信するように伝送制御指令回路３４に指令を出す（ステップＳ１９１４）。伝送制御指令回路３４は、コントローラ３５からの指令を受けると、伝送ライン４１でユーザーフレームを伝送する仮想ネットワークＶＬＡＮ−Ａのフレームの伝送を許可する伝送許可指令を、制御対象スイッチングハブ１ａに向けて送信する。
【００５９】
ここで、信号伝送装置の状態が図１８に示すように、伝送ライン４１で障害が発生して、伝送ライン４１でユーザーフレームを伝送する仮想ネットワークＶＬＡＮ−Ａのフレームの伝送が禁止されている状態であるとする。この状態で伝送ライン４１の障害が復旧すると、図１０に示すように、伝送ライン４１でユーザーフレームを伝送する仮想ネットワークＶＬＡＮ−Ａのフレームの伝送が許可され、伝送ライン４２でのフレームの伝送が禁止される。監視装置３ａの内部状態情報は、「Single」から「Act」に変わる。監視装置３ｂの内部状態情報は、「Single」から「Standby」に変わる。
【００６０】
このように、環状ネットワークで障害が発生していない場合は、優先度が低い監視装置と接続する制御対象スイッチングハブと対向スイッチングハブとの間の伝送ラインでのフレームの伝送を禁止しているので、フレームがループすることを防ぐことが出来る。また、伝送ラインで障害が発生した場合は、フレームの伝送の禁止されている伝送ラインでのフレームの伝送を許可して経路情報を削除しているので、障害の発生した伝送ラインを迂回してフレームの伝送を行うことが出来る。障害から復旧した場合や監視装置を起動する場合は、優先度が低い監視装置と接続する制御対象スイッチングハブと対向スイッチングハブとの間の伝送ラインでのフレームの伝送を禁止しているので、フレームがループすることを防ぐことが出来る。
【００６１】
上記説明したように、本発明の信号伝送装置は、伝送ラインで障害が発生した場合は、監視装置からの指令により、スイッチングハブが、フレームの伝送の禁止されている伝送ラインでのフレームの伝送を許可して経路情報を削除している。それ故、環状ネットワークを構成するスイッチングハブの全てが切替機能を持たないスイッチングハブである場合でも、障害発生時に障害の発生した伝送ラインを迂回した通信を行うことが出来る。
【図面の簡単な説明】
【００６２】
【図１】本発明の実施例である信号伝送装置を示すブロック図である。
【図２】図１の信号伝送装置の制御対象スイッチングハブを示すブロック図である。
【図３】図２の制御対象スイッチングハブの経路情報テーブルの例を示す図である。
【図４】図１の信号伝送装置の対向スイッチングハブを示すブロック図である。
【図５】図１の信号伝送装置の監視装置を示すブロック図である。
【図６】図５の監視装置の内部状態情報と状態の関係を示す図である。
【図７】図５の監視装置の起動処理ルーチンを示すフローチャートである。
【図８】図５の監視装置のコネクション失敗時状態設定ルーチンを示すフローチャートである。
【図９】図５の監視装置のコネクション確立時状態設定ルーチンを示すフローチャートである。
【図１０】図１の信号伝送装置を示すブロック図である。
【図１１】図１の信号伝送装置を示すブロック図である。
【図１２】図５の監視装置の障害検出通知受信ルーチンを示すフローチャートである。
【図１３】図５の監視装置の障害発生通知受信ルーチンを示すフローチャートである。
【図１４】図５の監視装置の復旧検出通知受信ルーチンを示すフローチャートである。
【図１５】図５の監視装置の障害復旧通知受信ルーチンを示すフローチャートである。
【図１６】図１の信号伝送装置を示すブロック図である。
【図１７】図５の監視装置の監視装置間障害発生ルーチンを示すフローチャートである。
【図１８】図１の信号伝送装置を示すブロック図である。
【図１９】図５の監視装置の監視装置間障害復旧ルーチンを示すフローチャートである。
【符号の説明】
【００６３】
１ａ〜１ｂ  御対象スイッチングハブ
２ａ〜２ｂ  対向スイッチングハブ
３ａ〜３ｂ  監視装置
４１〜４４  伝送ライン
５１〜５２  伝送ライン
【図１】
2009071424.tif 000003
【図２】
2009071424.tif 000004
【図３】
2009071424.tif 000005
【図４】
2009071424.tif 000006
【図５】
2009071424.tif 000007
【図６】
2009071424.tif 000008
【図７】
2009071424.tif 000009
【図８】
2009071424.tif 000010
【図９】
2009071424.tif 000011
【図１０】
2009071424.tif 000012
【図１１】
2009071424.tif 000013
【図１２】
2009071424.tif 000014
【図１３】
2009071424.tif 000015
【図１４】
2009071424.tif 000016
【図１５】
2009071424.tif 000017
【図１６】
2009071424.tif 000018
【図１７】
2009071424.tif 000019
【図１８】
2009071424.tif 000020
【図１９】
2009071424.tif 000021